(57)【特許請求の範囲】
【請求項１】
地下土壌および地下水の流れる透水層まで掘削した掘削穴と、
この掘削穴に挿入した筒状体と、
この筒状体に形成される通路に挿入され、一定の長さを有する捕捉体と、
この捕捉体の一端が連設され、前記捕捉体を巻き取る巻取部と、
この巻取部を有する回転体と、
この回転体を正逆に回転駆動する駆動手段を有し、
前記捕捉体の他端には錘が具備されており、
回転体の回転により、まず前記錘が前記透水層に到達するように前記捕捉体を下降させ、次に前記捕捉体を上方に巻き取るときに粘性油を前記捕捉体に付着させ、
前記捕捉体が前記粘性油の油面の上方に上昇したときに、地上に設置した油回収装置の油分離手段で離脱させて回収する前記油回収装置において、前記油分離手段が前記捕捉体に付着した前記粘性油をこそぎ落とす機構としたことを特徴とする油回収機構部材。
【請求項２】
捕捉体は、屈曲性を有するワイヤーであることを特徴とする請求項１記載の油回収機構部材。
【請求項３】
駆動手段の正逆回転方向の切替、回転数または回転角度を変更することにより、捕捉体の上下方向の移動距離を変更可能とすることを特徴とする請求項１記載の油回収機構部材。
【請求項４】
透水層に位置する筒状体の下部に、多数の孔またはスリットが形成されていることを特徴とする請求項１記載の油回収機構部材。
【発明の詳細な説明】
【技術分野】
【０００１】
本発明は、地下土壌中へ流出、漏洩した油を回収する回収装置の油回収部の機構に関するものである。
【背景技術】
【０００２】
地下土壌中へ流出、漏洩した原油、重油、軽油等の油分は、土壌中の地下水の流れる透水層を介して拡散し、これらの油による地下水汚染が広がる。
【０００３】
この油による地下水汚染を浄化するため、簡略化された装置で効率的に回収することが望まれている。
【０００４】
従来これらのこぼれた油の回収手段として、帯状吸着体と、走行駆動部と、離脱回収部とから構成される油の除去装置が知られている。
【０００５】
この油の除去装置において構成される帯状吸着体は、複数のローラ間に無端状に捲回されていて、掘削孔の下端側と地上との間に循環走行するようになっている。
【０００６】
また、走行駆動部は地上側に設置され、トップローラに軸連結されたモータと、このモータの駆動源とを備えている。
【０００７】
さらに離脱回収部も、地上側に設置され、挟圧ローラと、回収槽とから構成されており、この挟圧ローラは、トップローラの下方に設置され、トップローラとともに循環走行する吸着体を挟圧して、吸着体の吸着マットに吸着保持されている油類を絞ることにより離脱させる装置である（例えば、特許文献１参照）。
【０００８】
また、他の油の回収装置には、移動用車輪を具備したものがある。
【０００９】
この油の回収装置は、床の上を移動可能な台車に、無端ベルトを回転自在な状態で吊り下げ、この台車に無端ベルトを回転させる回転装置と無端ベルトに付着した油を、無端ベルトから回収する回収装置が知られている（例えば、特許文献２参照）。
【特許文献１】特開平１０−３１４７１４号公報
【特許文献２】特開２００４−８９６４号公報
【発明の開示】
【発明が解決しようとする課題】
【００１０】
しかしながら、特許文献１、２に記載されたものは、無端状のベルト（吸着体）を用い、複数のローラで支持し、循環走行するよう回転駆動されている為、地下土壌中へ流出、漏洩した原油、重油等の粘着性のある油の回収には時間がかかるという課題があった。
【００１１】
また、Ｃ重油のような粘性の高いものは回収が困難であった。
【００１２】
本発明は、前記従来の課題を解決するもので、回収装置の構成を簡略化して低騒音、耐久性の向上を図るとともに、地下土壌中へ流出、漏洩した原油、重油等の粘性のある油（特にＣ重油）を効率的に回収できる油回収装置の油回収機構部材を提供することを目的とするものである。
【課題を解決するための手段】
【００１３】
本発明は、一定の長さを有する捕捉体を有し、前記捕捉体の先端には錘が具備されており、前記捕捉体を電動回転体により下降させたときに、粘性油を前記捕捉体に付着させ、前記捕捉体が前記電動回転体により、前記粘性油の油面の上方に上昇したときに、前記捕捉体に付着した前記粘性油を地上に設置した油回収装置の油分離手段で離脱させて回収する前記油回収装置において、前記油分離手段が前記捕捉体に付着した前記粘性油をこそぎ落とす機構としたものである。
【発明の効果】
【００１４】
本発明の油回収機構部材によれば、回収装置の構成を簡略化して回転ローラ等の騒音が出る部材を必要最低限としたことにより、低騒音、耐久性の向上を図るとともに、粘性油が浮遊する液面の位置等の様々な状況に任意に対応させ、捕捉体に付着した粘性油を効率的に離脱、回収できるという効果を奏する。
【発明を実施するための最良の形態】
【００１５】
第１の発明は、地下土壌および地下水の流れる透水層まで掘削した掘削穴と、この掘削穴に挿入した筒状体と、この筒状体に形成される通路に挿入され、一定の長さを有する捕捉体と、この捕捉体の一端が連設され、前記捕捉体を巻き取る巻取部と、この巻取部を有する回転体と、この回転体を正逆に回転駆動する駆動手段を有し、前記捕捉体の他端には錘が具備されており、回転体の回転により、まず前記錘が前記透水層に到達するように前記捕捉体を下降させ、次に前記捕捉体を上方に巻き取るときに粘性油を前記捕捉体に付着させ、前記捕捉体が前記粘性油の油面の上方に上昇したときに、地上に設置した油回収装置の油分離手段で離脱させて回収する前記油回収装置において、前記油分離手段が前記捕捉体に付着した前記粘性油をこそぎ落とす機構としたものである。
【００１６】
これによって、油回収装置の構成を簡略化して低騒音、耐久性の向上を図るとともに、粘性油が浮遊する液面の位置等の様々な状況に任意に対応させ、捕捉体に付着した粘性油を効率的に離脱、回収できる。
【００１７】
具体的には、捕捉体は、屈曲性を有するワイヤーであり、捕捉体に付着した粘性油を、電動回転体を作動させて巻き取ることにより、地上に設置した油回収装置において、粘性油をこそぎ落とす機構がＶ字形状又は、前記捕捉体を挟み込むブラシ形状になっている為、粘性油を効率的に離脱させることができ、離脱した粘性油を回収することができる。
また、回転体の駆動手段を正転または逆転の回転方向の切替え、回転数または回転角度を制御することによって、捕捉体の上下動させる移動距離を簡単に設定することができる。
さらに、透水層に位置する筒状体の下部は、地下水、粘性油が十分入り込み、また通過できるように、多数の孔またはスリットが形成されている。

【００１８】
また、捕捉体と粘性油をこそぎ落とす機構が接触する部分は、接触による磨耗や、金属疲労が生じる為に、粘性油をこそぎ落とす機構の材質をフッ素含有樹脂、又はフッ素含有ゴム、モリブデン含有ステンレスのいずれか１つとすることで、捕捉体の耐久性を向上させることができ、安定して粘性油を回収することができる。
【００１９】
さらに、粘性油をこそぎ落とす機構を、熱伝導による加熱手段で４０℃〜５０℃にすることにより、粘性油を発火させることなく粘度を下げることができ、捕捉体に付着した粘性油を効率的に離脱させることができる。
【実施例】
【００２０】
以下、本発明の一実施例について図面を参照しながら説明する。
【００２１】
図１は油回収装置の一部側断面図、図２は本発明の捕捉手段と分離手段部の斜視図である。
【００２２】
図１、図２において、筺体１の内部に固定板２を有し、固定板２上には巻取部３ａを
有する回転体３を設け、回転体３はギアードモータ４（駆動手段）によって正逆に回転駆
動されるものである。
【００２３】
回転体３に対向して、回転体３の回転数または回転角度を検出する近接センサ、磁気センサ、光センサ等を用いた検出手段３ｂを設け、この検出手段３ｂとギアードモータ４（駆動手段）を接続した制御手段４ａを設けている。
【００２４】
この制御手段４ａにより回転体３の正転逆転の回転駆動制御を行う。
【００２５】
この巻取部３ａには屈曲性を有するワイヤー５の一端が連設され、他端部には錘６が装着されている。
【００２６】
前記回転体３、ギアードモータ４（駆動手段）で上下動手段を構成しているものである。なお前記駆動手段であるギアードモータ４は、ステッピングモータであってもよい。
【００２７】
筒状体７の内側に通路８を構成し、この通路８にワイヤー５が挿入されている。またワイヤー５を挟持し、ワイヤー５に付着した粘性油を離脱させる分離手段である捕集体９を固定板２に固定している。
【００２８】
また捕集体９とワイヤー５の接触部分は、捕集体９の下部が狭くなるようＶ字形状となっており、捕集体９の下部先端には、ワイヤー製ブラシ９ａが備わっており、ワイヤー５に付着した粘性油を、このワイヤー製ブラシ９ａで、こそぎ落とす構成となっている。
【００２９】
またワイヤー製ブラシ９ａは、ワイヤー５と接触するため、取替え可能な構成となっており、ワイヤ−５との接触による磨耗緩和のため、ワイヤー製ブラシ９ａの根元部分は、図示しないがフッ素含有ゴム又はフッ素含有樹脂で固定されている。
【００３０】
これにより、ワイヤー製ブラシ９ａに弾性を持たすことになり、接触による磨耗緩和を図ることができる。
【００３１】
さらに捕集体９を固定している固定板２上にはシーズヒータ１７が設けられており、固定板２からの熱伝導により捕集体９を４０℃〜５０℃になるよう加温されている。この温度調整には捕集体９近傍の固定板２に、図示しないがサーミスターを設けることで制御できる。
【００３２】
また捕集体９の下方には、捕集体９で離脱させた落下する粘性油を受けて案内筒１１に導く固定板２に固定したガイド１０を設けている。案内筒１１から回収容器１２に粘性油を回収する。
【００３３】
筺体１の下部の地下土壌１３、地下水の流れる透水層１４を掘削してこの掘削穴に筒状体（Ｂ）１５を挿入し、通路１６を構成させている。
【００３４】
なお透水層１４に位置する筒状体（Ｂ）１５の下部は地下水、粘性油が十分入り込み、また通過できるように多数の孔、スリット（図示なし）が形成されている。
【００３５】
筒状体７の内側に通路８と筒状体（Ｂ）１５の内側の通路１６は同軸状になるように設置されているものである。
【００３６】
次にこの実施例での基本的な動作を説明する。
【００３７】
駆動手段であるギアードモータ４を駆動し回転体３を回転させて、回転体３の巻取部３ａに巻き取られている捕集体９であるワイヤー５を、通路８、通路１６に錘６を下端として地下水の流れる透水層１４に到達するよう鉛直方向に吊り下げる。
【００３８】
この際にワイヤー５は、油分離手段である捕集体９を基準として通路８、通路１６のほぼ中央部に位置させている。
【００３９】
通路８、通路１６の内径は例えば約５０ミリメートルでよい。
【００４０】
錘６が地下水の流れる透水層１４の下部に到達した位置を制御手段４ａで記憶し、設置条件として設定する。
【００４１】
次に回転体３を回転させて巻取部３ａにワイヤー５を巻取り、上方に移動させる。
【００４２】
このときワイヤー５が透水層１４の液面に浮遊している粘性油に順次接触して、ワイヤー５の表面に粘性油が付着する。
【００４３】
さらに粘性油が付着したワイヤー５の下端が粘性油を離脱させる油分離手段である捕集体９を通過したとき回転体３の回転方向を反転するよう制御し、ワイヤー５を下方に移動させ、錘６が透水層１０の下部に到達した位置で再び回転体３の回転方向を逆にしてワイヤー５を上方に移動させ、一定の長さを有する捕捉体であるワイヤー５を一定の周期で鉛直方向に上下動させるものである。
【００４４】
この動作によって、ワイヤー５に付着した粘性油は、分離手段である捕集体９のワイヤー製ブラシ９ａでワイヤー５から分離し落下する。
【００４５】
これを傾斜したガイド１０で受けて案内体１１に流動させ、回収容器１２に粘性油を回収する。
【００４６】
このように一定の長さを有する捕捉体であるワイヤー５を鉛直方向に上下動させ、ワイヤー５が下降したとき、液体の粘性油をワイヤー５に付着させ、ワイヤー５が地下水である液体面の上方に上昇したとき、付着した浮上粘性油を分離手段である捕集体９で離脱させて回収するものである。
【００４７】
従来技術においては、粘性油を付着させる無端状のベルトを複数のローラで支持し、循環走行するよう回転駆動されている。
【００４８】
したがって構造が複雑で大型となり、コスト高となる。
【００４９】
また循環走行することによって騒音が大きく、ベルトの耐久性、必要な駆動動力が大きくなる等の点でも課題がある。
【００５０】
これに対して、本発明の実施例においては、捕捉体であるワイヤー５を鉛直方向に上下動させるので、回収装置の構成を簡略化させるとともに、効率的に粘性油を回収でき、低騒音化、耐久性の向上を図ることができる。
【００５１】
また、捕捉体であるワイヤー５を回転体３に巻装し、前記回転体３の駆動手段であるギアードモータ４を正逆回転に制御することによって、前記ワイヤー５を簡単な手段で精度よく上下動させることができる。
【００５２】
さらに回転体３の回転速度を変えることでワイヤー５の上下動の周期を調節することもできる。
【００５３】
さらに、粘性油の浮遊する液面と粘性油を分離、離脱させる分離手段との距離は、状況によって様々であり、これに対応させるため従来は、ベルトの交換、または機構的な手段による上下距離の調節を行っていたが、都度メンテナンスが必要で、上下距離の調節巾も大きく取れない。
【００５４】
これに対して本実施例によれば、回転体の駆動手段を正転または逆転の回転方向の切替え、回転数または回転角度を制御することによって、捕捉体であるワイヤー５の上下動させる移動距離を簡単に設定することができる。
【００５５】
これにより、地上から透水層１４までの距離差、すなわち粘性油の浮遊する液面と粘性油を分離、離脱させる分離手段である捕集体９との距離の差の状況に簡単に対応させることができる。
【００５６】
また、地上から透水層１４に達するように掘削して通路８、通路１６を形成し、この通路８、通路１６内で捕捉体であるワイヤー５を鉛直方向に上下動させ、地下水の粘性油を回収することによって、回収装置を簡略化させるとともに、低騒音化、耐久性の向上を図ることができる。
【００５７】
特に、騒音を著しく低下させ、さらに回転体３の大きな駆動動力を必要とせず、耐久性にも優れていることで、昼夜運転しても騒音公害を引き起こさず、また省エネルギー化を図ることができる。
【００５８】
また、従来液中に無端ベルトを常時挿入し、かつ無端ベルトの下端部に回転ローラを設ける必要がある。
【００５９】
これによって、前記回転ローラの挿入、他への接触防止のために通路のサイズを大きくする必要がある。
【００６０】
従って地中の掘削に大きな動力、設備および手間を要する課題がある。
【００６１】
これに対して本実施形態によれば、捕捉体であるワイヤー５の下端部には回転ローラを設ける必要がない。
【００６２】
これによって通路１６の径を小さくでき地中の掘削に大きな動力、設備を必要とせず作業を簡単に行うことができる。
【産業上の利用可能性】
【００６３】
液体上に分離して浮遊する付着性物質を回収する分野への用途にも適用できる。
【図面の簡単な説明】
【００６４】
【図１】本発明の油回収装置の一部側断面図
【図２】本発明の油回収装置の捕集体の斜視図
【符号の説明】
【００６５】
１    筺体
２    固定板
３    回転体
３ａ    巻取部
３    回転検出手段
４    ギアードモータ（駆動手段）
４ａ    制御手段
５    ワイヤー
６    錘
７    筒状体
８    通路
９    捕集体（分離手段）
９ａ    ワイヤー製ブラシ
１０    ガイド
１１    案内筒
１２    回収容器
１３    地下土壌
１４    透水層
１５    筒状体（Ｂ）
１６    通路
１７    シーズヒータ
【図１】
0004561573.tif 000002
【図２】
0004561573.tif 000003